(57)【要約】      （修正有）【課題】胴縁を質感、安定感のある単一のアルミ押出形材により構成し、しかも、メッシュパネルと胴縁との結合が強化されることはもちろん、端部が胴縁で美的に処理されることになる胴縁付きメッシュパネルを提供する。【解決手段】縦線材７と横線材９とが交差してなるメッシュパネル１と、メッシュパネル１の上下端部にその前面に当接して取り付けられるように形成された中空のアルミ押出形材からなる胴縁３と、この胴縁３の裏面に横へ間隔おきにメッシュパネル１の端部を押え止める多数の止金具５とからなり、止金具５は、メッシュパネル１の裏側において隣接する左右一対の縦線材７間に亘る長さの板状において、両端にその縦線材７に係る湾曲した係合部１５を設け、中央部には胴縁に螺入するビス１７の通し孔１９を左右長孔に設けてある。【選択図】図１
0003201591.tif 000002
【実用新案登録請求の範囲】
【請求項１】
縦線材と横線材とが交差してなるメッシュパネルと、メッシュパネルの上下端部にその前面に当接して取り付けられるように形成された中空のアルミ押出形材からなる胴縁と、この胴縁の裏面に横へ間隔おきにメッシュパネルの端部を押え止める多数の止金具とからなり、止金具は、メッシュパネルの裏側において隣接する左右一対の縦線材間に亘る長さの板状において、両端にその縦線材に係る湾曲した係合部を設け、中央部には胴縁に螺入するビスの通し孔を左右長孔に設けてあることを特徴とする胴縁付きメッシュパネル。
【請求項２】
胴縁が一端に裏面への凸部を設けた中空のL字形断面であることを特徴とする請求項１記載の胴縁付きメッシュパネル。
【請求項３】
胴縁を矩形に形成するとともに、内部に上下一致においてリブとなる仕切部を設け、仕切部の一部にビスポケットを一体に形成してあることを特徴とする請求項１又は２記載の胴縁付きメッシュパネル。
【請求項４】
隣接する両メッシュパネル間に介在させる連結金具を具備してあって、連結金具は、隣接両メッシュパネルの縁部縦線材が二つ合わせに納まる凹所を有する本体片と、凹所を封じてそれにネジ止めする蓋片とからなることを特徴とする請求項１，２又は３記載の胴縁付きメッシュパネル。
【考案の詳細な説明】
【技術分野】
【０００１】
この考案は、縦横線材が格子状に組まれたメッシュパネルの上下に胴縁を組み付けてなり、フェンスや間仕切、壁面化粧材、壁面吊棚等として使用する胴縁付きメッシュパネルに関する。
【背景技術】
【０００２】
メッシュパネルには、支柱や壁面に対する取付け強度を確保する等のために上下両端に胴縁が取り付けられる。従来、胴縁には、アングル鋼材等の粗雑な単一部材が使用されることが多く、そのためメッシュパネルの縁が単調であるばかりでなく必要強度も得られがたかったので、本出願人においては、質感と強度のあるアルミ押出形材を二枚合わせにし、メッシュパネルを挟み付け両形材をビス止めして胴縁を構成する提案をした（特許文献１）。
【０００３】
これによると、メッシュパネルは、縦線材と横線材とからなることから、二枚合わせの一方の押出形材に横線材が納まる凹溝を押出時に形成できるので、この結合で胴縁を安定させることができた。しかし、これによれば縦線材の方は両形材で単に挟むことになるので、その間に間隔が必然的に生じるという問題があった。
【０００４】
なお、従来、メッシュパネルには、上端部において各縦線材を円形に丸めて曲げ加工を施し、丸の曲げ加工部が一列に並ぶ胴縁類似の配列が形成されることもあったが、これには当然質感や強度は望めなかった。
【先行技術文献】
【特許文献】
【０００５】
【特許文献１】実用新案登録第３１９５４７２号公報
【考案の概要】
【考案が解決しようとする課題】
【０００６】
いずれにしても、従来の胴縁付きメッシュパネルによれば、質感や安定感に不足し、美的に使用し難く、また、組立て等において製造が容易ではなかった。
【０００７】
この考案は、上記のような実情に鑑みて、胴縁を質感、安定感のある単一のアルミ押出形材により構成し、しかも、メッシュパネルと胴縁との結合が強化されることはもちろん、端部が胴縁で美的に処理されることになる胴縁付きメッシュパネルを提供することを課題とした。
【課題を解決するための手段】
【０００８】
上記の課題を解決するために、この考案は、縦線材と横線材とが交差してなるメッシュパネルと、メッシュパネルの上下端部にその前面に当接して取り付けられるように形成された中空のアルミ押出形材からなる胴縁と、この胴縁の裏面に横へ間隔おきにメッシュパネルの端部を押え止める多数の止金具とからなり、止金具は、メッシュパネルの裏側において隣接する左右一対の縦線材間に亘る長さの板状において、両端にその縦線材に係る湾曲した係合部を設け、中央部には胴縁に螺入するビスの通し孔を左右長孔に設けてあることを特徴とする胴縁付きメッシュパネルを提供する。
【０００９】
上記の構成によれば、メッシュパネルの前面に胴縁を取り付けて止金具で組み立てることができ、それには、隣接する両縦線材に止金具の両端係合部を当てながら、通し孔から取付ビスを胴縁に螺入しそれにメッシュパネルを締め付ける。
【考案の効果】
【００１０】
以上説明したように、この考案の胴縁付きメッシュパネルによれば、胴縁に質感、安定感のある単一のアルミ押出形材を使用して組立てが可能であり、胴縁に隙間がなくなるので、周囲の環境に適して美的に配置され得ることはもちろん、組立が容易で作業性が良好であり量産に適し、しかも、メッシュパネルと胴縁との結合が安定するという優れた効果がある。
【図面の簡単な説明】
【００１１】
【図１】この考案の胴縁付きメッシュパネルの上端部を示す分解斜視図である。
【図２】同胴縁付きメッシュパネルの上端部を示す組立背面図である。
【図３】図２のA-A線矢視の断面図である。
【図４】B-B線矢視の断面図である。
【図５】他の実施例を示す図４に対応する断面図である。
【図６】この考案の胴縁付きメッシュパネルを一列に連結したフェンスを示し、その連結部分の背面図である。
【図７】図６の一部連結部分を拡大して示す背面図である。
【図８】図７のC-C矢視断面図である。
【考案を実施するための形態】
【００１２】
以下にこの考案の代表的な例を説明する。いずれも胴縁付きメッシュパネルPの上下両端に胴縁３，３を取り付けた場合を示したが、左右両端に取り付けることもある。
【実施例１】
【００１３】
図１ないし４図は、一実施例を示したもので、その胴縁付きメッシュパネルPは、メッシュパネル１と、上下一対の胴縁３，３と、メッシュパネル１に胴縁３，３を取り付ける幾つかの止金具５，５、・・とからなる。
【００１４】
メッシュパネル１は、スチール製の縦線材７，７、・・と横線材９，９、・・とをクロス部で溶接して格子形であって、縦線材７，７、・・の端部が胴縁３に当接して止められる配置になっている。
【００１５】
胴縁３は、中空のアルミ押出形材であって、裏面がフラット面の矩形であるとともに、裏面の上端に裏方向への凸部１１をリブとして設けることにより上面を倍広に太く見えるように形成される。また、裏面壁には厚肉部１３が形成される。
【００１６】
止金具５は、横長矩形の鋼板であって、両端にプレス成型により表側開口型の屈曲した係合部１５，１５を設けたもので、中央部には、取付ビス１７の通し孔１９が横長に形成される。
【００１７】
図４は、胴縁付きメッシュパネルPの組立状態を示したもので、メッシュパネル１の上下両端に凸部１１，１１を掛けながら胴縁３，３の裏面に縦線材７，７、・・端部を当接させ、止金具５を隣接する両縦線材７，７に裏側から掛け、取付ビス１７を胴縁３に螺入してメッシュパネル１が締め付けられる。なお、胴縁３には厚肉部１３に予め取付ビス１７の螺入孔２１が穿設される。
【００１８】
こうして組み立てられた胴縁付きメッシュパネルPは、フェンスとして支柱１０に取り付けるためにフックボルト２５が使用され、支柱１０にフックボルト２５の貫通孔を設けて、横線材９に掛けたフックボルト２５を支柱１０の裏側でナット２６で締め付けられる。
【実施例２】
【００１９】
図５は、他の実施例を示したもので、胴縁３は、矩形の中空であるとともに、裏面に上下一対の凹溝２８，２８が形成され、内部には凹溝２８，２８の位置ごとに仕切部３０，３０を設け、それぞれにビスポケット３２，３２が一体成形される。なお、ビスポケット３２，３２は、胴縁３の両端に鍔板をビス止めするために使用することができ、そうすれば鍔板を介して支柱や間柱などに胴縁３がビス止めされる。
【００２０】
図６は、支柱１０に前記胴縁付きメッシュパネルPを取り付け、隣接する両胴縁付きメッシュパネルP,Pを連結してフェンスを構築した場合を示したもので、メッシュパネルP,Pどうしは、連結金具３１により接続される。
【００２１】
図７および図８は、隣接するメッシュパネル１，１を相互に連結する場合を示し、その連結金具３１は、メッシュパネル１，１の縁部の縦線材７，７が同時に平行に納まる凹欠した本体片３３とその中に縦線材７，７を押え止める蓋片３５とからなり、本体片３３にビス３７の通し孔３９を、蓋片３５にネジ孔４１が設けられる。
【符号の説明】
【００２２】
P  胴縁付きメッシュパネル
１  メッシュパネル
３  胴縁
５  止金具
７  縦線材
９  横線材
１１  凸部
１３  厚肉部
１５  係合部
１７  取付ビス
１９  通し孔
２１  螺入孔
３１  連結金具
３３  本体片
３５  蓋片
３７  ビス
３９  通し孔
４１  ネジ孔
【図１】
0003201591.tif 000003
【図２】
0003201591.tif 000004
【図３】
0003201591.tif 000005
【図４】
0003201591.tif 000006
【図５】
0003201591.tif 000007
【図６】
0003201591.tif 000008
【図７】
0003201591.tif 000009
【図８】
0003201591.tif 000010